(57)【要約】【課題】ブラケット撮影時間を短縮するデジタルカメラを提供する。【解決手段】露光中の撮像素子から電荷データを読み出し、時間方向の複数の電荷データを積算し、画像データを生成する積算手段と、撮像素子の露光時間を変化させて複数枚一組の画像を撮影するブラケット撮影を行うブラケット撮影手段と、複数枚一組の画像の内で露光時間が最長となる一枚の画像の露光処理を行い、露光処理を行う途中で積算手段により撮像素子から電荷データを読み出し、露光時間がより短い画像データを生成し、複数枚一組の画像を生成し、ブラケット撮影を終了する制御手段と、を有し、ブラケット撮影の総合計露光時間よりも短時間でブラケット撮影を終了する。【選択図】図１
2006229627.tif 000002
【特許請求の範囲】
【請求項１】
露光中の撮像素子から電荷データを読み出し、時間方向の複数の前記電荷データを積算し、画像データを生成する積算手段と、
前記撮像素子の露光時間を変化させて複数枚一組の画像を撮影するブラケット撮影を行うブラケット撮影手段と、
前記複数枚一組の画像の内で前記露光時間が最長となる一枚の画像の露光処理を行い、前記露光処理を行う途中で前記積算手段により前記撮像素子から前記電荷データを読み出し、前記露光時間がより短い前記画像データを生成し、前記複数枚一組の画像を生成し、ブラケット撮影を終了する制御手段と、を有し、
前記ブラケット撮影の総合計露光時間よりも短時間でブラケット撮影を終了することを特徴とするデジタルカメラ。
【請求項２】
測光結果に応じて前記撮像素子の標準露光時間を確定し、ブラケット幅（露光量振り幅）に応じて前記撮像素子の減感露光時間、増感露光時間を予め定め、
前記撮像素子の露光開始から前記減感露光時間経過時に前記画像データを読み出し、続けて前記標準露光時間経過時に前記画像データを読み出し、さらに前記増感露光時間経過時に前記画像データを読み出し、前記露光処理を終了する請求項１記載のデジタルカメラ。
【請求項３】
前記撮像素子としてＣＭＯＳ撮像素子を使用し、前記ＣＭＯＳ撮像素子から画素の前記電荷データを読み出して前記画像データを生成し、
前記ＣＭＯＳ撮像素子内の前記電荷データをクリア状態に戻す、又は、クリアしない請求項１記載のデジタルカメラ。
【請求項４】
前記撮像素子としてＣＣＤ撮像素子を使用し、任意に前記電荷データを読み出し前記画像データを生成し、前記ＣＣＤ撮像素子内の前記電荷データが
クリアされた状態から、ブラケット撮影の差分画像データの蓄積を開始する請求項１記載のデジタルカメラ。
【請求項５】
前記露光途中における前記撮像素子からの前記電荷データの読み出し及び再露光開始までの非露光時間の存在により、前記複数枚一組の画像の内のより長時間側画像の前記露光時間が露光量確保のため時間延長される請求項１記載のデジタルカメラ。
【請求項６】
表示装置を有し、前記ブラケット撮影が終了した時点で前記複数の画像データの読み出しが終了したことを前記表示装置に示す請求項１から請求項５のいずれかに記載のデジタルカメラ。
【発明の詳細な説明】
【技術分野】
【０００１】
本発明は、ブラケット撮影機能を有し、このブラケット撮影時間を短縮したデジタルカメラに関するものである。
【背景技術】
【０００２】
従来、銀塩フィルムを用いたカメラでは、撮影条件を変化させてフィルムへの露光量を調整し、被写体に対し複数枚の明るさの異なる撮影結果を得るようなブラケット撮影なる技法があった。これは特に露出条件の設定が難しく、１枚の撮影では所望の結果とならない恐れがある場合によく用いられている。
ブラケット撮影を行う場合での撮影条件とは、絞り量や露光時間である。また、近年のデジタルカメラではこれに加えて、ホワイトバランス（色温度）やＩＳＯ感度を変化させての撮影も行なわれるようになってきた。
一方、露光時間よりも短い微小時間の露光を繰り返し、それを積算し最終的な本画像データを得る技法は、特開２００１−３２６８５０号公報（特許文献１）で既に開示されている。この従来例は、この撮影途中に撮像素子から画像データを抽出する原理を、任意のタイミングで画像データを取得する手段として利用している。
【０００３】
従来から行われているブラケット撮影は、撮影条件を変化させながら複数回の撮影を繰り返すものであり、必然的に回数に応じて撮影時間が延びていくものであった。
図９にその概念を示した。図９では適正露光に加えて減感露光、増感露光の３段階に撮影条件を変化させて、３枚の画像を得る場合の説明である。それぞれの撮影に際し、１枚目の撮影はｔ秒の露光時間が必要とし、２枚目の撮影にｔ＋α秒の露光時間が必要とし、３枚目の撮影にｔ＋β秒の露光時間が必要と想定している。結果、３枚の撮影に掛かる時間は少なくともｔ＋（ｔ＋α）＋（ｔ＋β）秒と計算することができる。これはブラケット撮影時にはその枚数に応じて総撮影時間が比例的に延びることを示しており、その間、使用者に負担を強いるものであった。仮に、５枚組によるブラケット撮影を考えてみると、ｔ＋（ｔ＋ｕ）＋（ｔ＋ｖ）＋（ｔ＋ｘ）＋（ｔ＋ｙ）＋（ｔ＋ｚ）秒もの時間が必要な計算になる。時間が長くなることは被写体の変化をより許すことになり、同一シーンを狙ったブラケット撮影の意味を損なうものでもあった。
また、特開平１１−４３８０号公報（特許文献２）ではブラケット撮影に対し、１枚の画像データから電気的に処理し、見た目の露光量の異なる複数枚の画像を得る方法が示されているが、電気的に処理するために、最終的な画像にノイズが混入する等の恐れがあった。
なお、図９に示した従来ブラケットの概念は３枚一組を例として挙げているが、本発明の適応範囲を３枚からなるブラケット撮影に限定するものではない。例えば５枚組や７枚組など２枚以上の組み合わせに対し、有効である。また、上記ｔ秒、ｔ＋α秒、ｔ＋β秒は固定値を示すものではなく、露出条件によって変化する露光時間値である。
【特許文献１】特開２００１−３２６８５０号公報
【特許文献２】特開平１１−４３８０号公報
【発明の開示】
【発明が解決しようとする課題】
【０００４】
そこで、本発明は、ブラケット撮影時間を短縮するデジタルカメラを提供することを目的とする。
【課題を解決するための手段】
【０００５】
上記の目的を達成するために第１の本発明のデジタルカメラは、露光中の撮像素子から電荷データを読み出し、時間方向の複数の前記電荷データを積算し、画像データを生成する積算手段と、
前記撮像素子の露光時間を変化させて複数枚一組の画像を撮影するブラケット撮影を行うブラケット撮影手段と、
前記複数枚一組の画像の内で前記露光時間が最長となる一枚の画像の露光処理を行い、前記露光処理を行う途中で前記積算手段により前記撮像素子から前記電荷データを読み出し、前記露光時間がより短い前記画像データを生成し、前記複数枚一組の画像を生成し、ブラケット撮影を終了する制御手段と、を有し、
前記ブラケット撮影の総合計露光時間よりも短時間でブラケット撮影を終了する。
さらに、第２の本発明のデジタルカメラは、測光結果に応じて前記撮像素子の標準露光時間を確定し、ブラケット幅（露光量振り幅）に応じて前記撮像素子の減感露光時間、増感露光時間を予め定め、
前記撮像素子の露光開始から前記減感露光時間経過時に前記画像データを読み出し、続けて前記標準露光時間経過時に前記画像データを読み出し、さらに前記増感露光時間経過時に前記画像データを読み出し、前記露光処理を終了する。
さらに、第３の本発明のデジタルカメラは、前記撮像素子としてＣＭＯＳ撮像素子を使用し、前記ＣＭＯＳ撮像素子から画素の前記電荷データを読み出して前記画像データを生成し、
前記ＣＭＯＳ撮像素子内の前記電荷データをクリア状態に戻す、又は、クリアしない。
【０００６】
さらに、第４の本発明のデジタルカメラは、前記撮像素子としてＣＣＤ撮像素子を使用し、任意に前記電荷データを読み出し前記画像データを生成し、前記ＣＣＤ撮像素子内の前記電荷データがクリアされた状態から、ブラケット撮影の差分画像データの蓄積を開始する。
さらに、第５の本発明のデジタルカメラは、前記露光途中における前記撮像素子からの前記電荷データの読み出し及び再露光開始までの非露光時間の存在により、前記複数枚一組の画像の内のより長時間側画像の前記露光時間が露光量確保のため時間延長される。
さらに、第６の本発明のデジタルカメラは、表示装置を有し、前記ブラケット撮影が終了した時点で前記複数の画像データの読み出しが終了したことを前記表示装置に示す。
【発明の効果】
【０００７】
本発明のデジタルカメラによれば、複数枚一組の画像の内で露光時間が最長となる一枚の画像の露光処理を行い、前記露光処理を行う途中で積算手段により撮像素子から電荷データを読み出し、前記露光時間がより短い画像データを生成し、前記複数枚一組の画像を生成し、前記ブラケット撮影を終了する制御手段を有し、前記ブラケット撮影の総合計露光時間よりも短時間でブラケット撮影を終了し、撮影時間が短縮される。
【発明を実施するための最良の形態】
【０００８】
以下、本発明を、その実施例に基づいて、図面を参照して説明する。
【実施例１】
【０００９】
以下、本発明の実施例１のデジタルカメラの簡略的構成を図１を参照して説明する。
レンズ装置１１はフォーカシング機能を有する装置、絞り装置１２、ミラー装置１３はレンズ装置１１に入射した光の経路を制御する装置である。
シャッター装置１４はシャッター手段、撮像素子１５はＣＣＤやＣＭＯＳ等により光信号を電気信号に変換する装置である。
Ａ／Ｄ装置１６はアナログ信号をデジタル信号に変換する装置、画像処理装置１７はガンマ補正等の映像信号処理を行う装置、圧縮処理装置１８は画像データの圧縮処理を行う装置、メモリ装置１９は画像データを一時的に保存し、プログラムやデータ変数を格納保持する装置、記録媒体２０はメモリカードやハードディスクなどで画像データを記録する装置である。
表示装置２２は光学ファインダ２１内及び／又はカメラ外周上に設けられ、例えば、露光時間、絞り数値、撮影可能枚数、露出補正値、撮影モード、圧縮率、合焦、ブラケット枚数、ブラケット処理中、ブラケット終了、フラッシュ充電完了、ビジー、さらには各種設定用メニュー画面や再生画像、その他警告文等を表示する装置である。
駆動装置２３は撮像素子１５及びＡ／Ｄ装置１６を駆動する装置、シャッター制御装置２４はシャッター装置１４を制御して露光時間を調整する装置である。
撮影モード変更装置２５は撮影のモードを変更する装置で、この撮影モード変更装置２５により、例えば、自動、プログラム、シャッター速度優先、絞り優先、マニュアル、焦点深度優先、ポートレート、風景、接写、スポーツ、夜景、パノラマ、動画記録などの各撮影モードの選択が可能となる。
撮影解像度変更装置２６は撮影画像の解像度を変更する装置、ＩＳＯ値変更装置２７は撮影時の感度を変更する装置である。
シャッタースイッチ２８は撮像を指示する装置で、ＳＷ１、ＳＷ２の２段階スイッチから成り、ＳＷ１のＯＮでオートフォーカス処理、自動露出処理、オートホワイトバランス処理、フラッシュ調光処理等の動作を開始する。さらにＳＷ２のＯＮでシャッター装置１４が開き、撮像素子１５から出力された信号がＡ／Ｄ装置１６、画像処理装置１７、圧縮処理装置１８を通過することにより画像データが生成され、記録媒体２０に保存されるという一連の処理が行なわれる。
【００１０】
主電源スイッチ２９は本デジタルカメラの電源を入／切制御するスイッチ、単写連写スイッチ３０は単写と連写を切り替えるスイッチで、この単写連写スイッチ３０により本発明のデジタルカメラはＳＷ２の押下後、ＳＷ２が離されるまで、連続的に撮影を繰り返すモード（連写）と、ＳＷ１を離放するまで１回の撮影しか行わないモード（単写）を切り替える。
もちろん一般的な技術として、露光時間の制御は、シャッター装置１４により直接制御する場合もあるし、電子シャッターと呼ばれる撮像装置１５の蓄積時間で制御する方法もよく使われている。
ブラケット撮影指示装置３１はブラケット撮影とブラケット撮影における撮影枚数、露光調整量、撮影順序を入力する装置、制御装置３２は絞り装置１２を制御して撮像素子１５に到達する光の量を調節する絞り装置、フォーカス制御装置３３はレンズ装置１１内のフォーカシングレンズを駆動して焦点距離を調節する装置である。
発音体３４は警告音や確認音を発音する装置、フラッシュ装置３５はオートフォーカス用補助光の投光やフラッシュ調光機能を持つ装置、測距装置３６は合焦を検出する装置、測光装置３７は被写体の明るさを検出する装置である。
システム制御装置３８はデジタルカメラ全体の制御、周辺制御装置の制御、スイッチ類からの入力に応じた制御、焦点距離の調節や露光量の調節、メモリや記録媒体への書き込み読み出し制御等を行う装置である。
ここで、測距、測光（すなわちオートフォーカス処理、自動露出処理、フラッシュ調光処理）は測距装置３６、測光装置３７を用いて行う実施例を挙げたが、画像処理装置１７およびシステム制御装置３８によって代用することも可能である。
また、光学ファインダ２１の代りに撮像装置１５に入る像を表示装置２２に表示し、ファインダとして利用するビューファインダとする構成でもよい。
図１３にはブラケット設定を表現する実施例が示される。
従来のデジタルカメラでは、０を基準に−３から＋３などの数直線を擬似し、この中の黒点が点灯してブラケット枚数と増感・減感の幅を表現した。
また、ブラケット処理中には黒点が点滅するなどして、何枚目のどのような感度の撮影中かを表現した。
【００１１】
次に、図１に示される本発明の実施例１のデジタルカメラの処理の概要について図２を参照して説明する。
まず、システム制御装置３８は、ＳＷ１の状態を調べＳＷ１が押下されている場合には、以下の処理を開始する（Ｓ１０１）。
次に、システム制御装置３８は単写／連写の撮影を切り替える単写連写スイッチ３０の設定状態を調べ（Ｓ１０２）、単写設定されている場合には単写フラグ（メモリ装置１９に存在する）を設定し（Ｓ１０３）、連写設定がされている場合には連写フラグ（メモリ装置１９に存在する）を設定する（Ｓ１０４）。
なお、単写フラグ、連写フラグはシステム制御装置３８の内部のメモリに記録してもよい。
次に、システム制御装置３８は測距処理を行う（Ｓ１０５）。ブラケット撮影指示装置３１を調べ（Ｓ１０６）、ブラケット撮影が指示されているか調べる。
ブラケット撮影が指示されていない場合は、ブラケット回数を０回とし、ブラケット撮影の回数を保持する変数ｎを０とする（Ｓ１０７）。
また、ブラケット撮影指示がある場合は、ブラケット撮影開始を意味するよう変数ｎを１とする（Ｓ１０８）。
同時にブラケット撮影指示装置３１によりブラケット撮影における段階露出幅、撮影枚数、撮影順序を入力し、メモリ装置１９に保持する。
この時点で撮影枚数が確定し、その枚数が撮影可能か中間処理に使用するメモリ１９や記録する記録媒体２０の空き容量を調査し（Ｓ１０９）、余裕がなければ警告を表示装置２２に表示し（Ｓ１１０）、Ｓ１０１へ戻る。
【００１２】
次に、測光処理を行い（Ｓ１１１）、ＳＷ２が押下されるまで待機する（Ｓ１１２）。
ＳＷ２が押下されていない場合は、ＳＷ１の状態を調べ（Ｓ１１３）、ＳＷ１が離放されている場合には、Ｓ１０１へ戻り待機状態となる。
ＳＷ１が押下されている場合には（Ｓ１１３）、再度測光処理へ戻る（Ｓ１１１）。
ＳＷ２が押下されている場合（Ｓ１１２）は撮影処理を行い（Ｓ１１４）、続いて現像処理を行う（Ｓ１１５）。
現像処理が済んだ画像データは、一旦、メモリ装置１９に保存され、続けて、設定したモードに応じた画像圧縮処理を行い（Ｓ１１６）、ハードディスクやメモリカード等の記録媒体装置２０に保存処理を開始する（Ｓ１１７）。
記録が開始された後、一組のブラケット撮影となる複数枚の撮影処理が終了したか判定し（Ｓ１１８）、終了していない場合または元々ブラケット撮影でない場合はＳＷ２のＯＮ／ＯＦＦを判定する（Ｓ１２１）。
ＳＷ２が押下されている場合には連写フラグが設定されているか判定し（Ｓ１２２）、連写の場合にはＳ１０６へ戻りブラケット撮影中の連写かブラケット撮影でない連写かの判定へ戻る。
単写の場合には再度ＳＷ２が放されるか否かの判定へ戻る（Ｓ１２１）。
ＳＷ２が離放されていた場合（Ｓ１２１）にはＳＷ１の状態を調べ（Ｓ１２３）、押下されたままの場合には再度ＳＷ２が押下されるかどうか調べる（Ｓ１２１）。
ＳＷ１が離放されている場合にはＳ１０１へ戻り、ＳＷ１が押下されるまで待機する。
現像処理（Ｓ１１５）は、必要なＷＢ（ホワイトバランス）積分演算、ＯＢ（オプティカルブラック）積分演算を行い、演算結果をシステム制御装置３８の図示されない内部メモリあるいはメモリ装置１９に記憶する。
そして、システム制御装置３８は画像処理装置１７を用いてメモリ装置１９の所定の領域に書き込まれた撮影画像データを読み出して、システム制御装置内部メモリ３８あるいはメモリ装置１９に記憶した前記演算結果を用いて、ＡＷＢ（オートホワイトバランス）処理、ガンマ変換処理、色変換処理を含む各種現像処理を行う（Ｓ１１５）。
【００１３】
次に、図２に示される測距処理（Ｓ１０５）を図３を参照して説明する。
まず、システム制御装置３８、撮像素子１５、測距装置３６及びフォーカス制御装置３３を用いてレンズ装置１１のフォーカス駆動を行い、合焦処理を行う（Ｓ２０１）。
次に、レンズ装置１１に入射した図示されない光線は、ミラー装置１３で測距装置３６に入射し、光学像として結像した画像の合焦状態を判断し合焦の判定を行う。
システム制御装置３８とフォーカス制御装置３３によりレンズ装置１１内の合焦用レンズを移動し（Ｓ２０１）、測距装置３６が捕らえる像の状態により、システム制御装置３８が判定する（Ｓ２０２）。
合焦が得られることによりレンズ位置を決定し、距離データ、レンズデータ等をシステム制御装置３８の内部メモリあるいはメモリ装置１９に保存する。
【００１４】
次に、図２に示される測光処理（Ｓ１１１）を図４を参照して説明する。
システム制御装置３８は測光装置３７を用いて自動露出処理を行う。
レンズ装置１１に入射した図示されない光線を測光装置３７に入射させることにより、光学像として結像された画像の露出状態を測定し（Ｓ３０１）、実撮影時に最適な露出（ＡＥ）が得られるように演算を繰り返す（Ｓ３０２）。
適正な露出を得られる設定値が決定した場合には（Ｓ３０３）、システム制御回路３８は測光値を含む測光データおよびあるいは設定パラメータをシステム制御装置３８の内部メモリあるいはメモリ装置１９に記憶し、Ｓ３０４に進む。
なお、測光処理（Ｓ３０３）で決定した露光量と、モードダイアルによって設定された撮影モードに応じて、システム制御装置３８は、絞り値（Ａｖ値）、シャッター秒時値（Ｔｖ値）を決定する。
この値に応じて、図２に示される撮影シーケンス時にシャッター制御装置２４と絞り制御装置３２をコントロールし、撮影を行う。
この絞り値、シャッター秒時値は一つの露光量に対し、一つ以上の組み合わせが存在する。なぜなら同じ露光量を得るのに、絞りを絞れば、露光時間を延ばせばよく、また、露光時間を短くすれば、絞りを開ければよいためである。その組み合わせのなかから一つの設定値を選び出すために、撮影モード変更装置２５の設定などによって優先順位が決まり、特定の値を選ぶことができる。
【００１５】
【表１】
2006229627.tif 000003
表１には測光結果によって選択されるシャッター秒時の一例が示され、この
表１から選択される。
ブラケット撮影の場合、測定した測光値に対する標準露光量から、使用者がブラケット撮影指示装置３１で指示した増減感度幅に応じて、まず減感露光時間を算出する（Ｓ３０８）。続いて増感露光時間を算出する（Ｓ３０９）。
露光時間は通常、露光時間テーブルをメモリ装置１９に持ち、露光量±１段の整数倍、加えて±１／２段の整数倍、さらに±１／３の整数倍でのブラケット増減量に対応して、増感／減感の露光時間を選択することが可能である。
【００１６】
【表２】
2006229627.tif 000004
表１のシャッター秒時に対する±１段幅でブラケット撮影を指示した場合に選択されるシャッター秒時は表２から選択される。
ここで「２」秒が「１」秒に対する増感用に、「１／４０００」秒が「１／２０００」秒に対する減感用に追加されている。また、±１／２、±１／３のブラケット幅に対するシャッター秒時は、基準となるシャッター秒時をＡとすると、
−１／２段  ＝  ２の二乗根 × Ａ
＋１／２段  ＝  Ａ÷ ２の二乗根
−２／３段  ＝  ｛(２の三乗根)の二乗｝× Ａ
−１／３段  ＝  ２の三乗根 × Ａ
＋１／３段  ＝  Ａ÷ ２の三乗根
＋２／３段  ＝  Ａ÷｛（２の三乗根）の二乗｝
−ｎ／２段 ＝  ２の二乗根のｎ乗 × Ａ
＋ｎ／２段 ＝  Ａ÷ ２の二乗根のｎ乗
−ｎ／３段 ＝  ２の三乗根のｎ乗 × Ａ
＋ｎ／３段 ＝  Ａ÷ ２の三乗根のｎ乗
と表現される。
この理論値からシャッター秒時を計算してもよいし、これに近く計算負荷の軽い値をあらかじめメモリ装置１９に保持しておき、計算を簡略化してもよい。
【００１７】
【表３】
2006229627.tif 000005
ここで、表３は±１／２段単位幅でブラケット撮影を指示した場合に選択されるシャッター秒時の一例が示される。
【００１８】
【表４】
2006229627.tif 000006
表４は±１／３段単位幅でブラケット撮影を指示した場合に選択されるシャッター秒時の一例が示される。
表３および表４で上記理論式は±１の範囲で示したが、ブラケット範囲を±１段幅に収めるものではなく、この整数倍のブラケット幅が可能であり、理論的には上限下限に制限はなく、限度はカメラ性能に依存する。決定した露光時間はメモリ装置１９または制御装置３８の内部メモリに保持される。
また、従来、ブラケット撮影の増減単位は１／２または１／３と独立して扱われていたが、本実施例ではこれらを混在させることが可能である。
表２、表３、表４から撮像時間を選択し組み合わせ、短時間側から時間に応じて撮像素子１５から電荷データを読み出せばよい。
さらにシステム制御装置３８は、フラッシュが必要か否かを判断し（Ｓ３０５）、フラッシュが必要ならばフラッシュフラグをセットし、フラッシュ３６の充電が完了するまで（Ｓ３０７）充電を行う（Ｓ３０６）。
【００１９】
次に、図２に示される撮影処理（Ｓ１１４）を図５を参照して説明する。
まず、システム制御装置３８は、ミラー１３を不図示のミラー駆動手段によってミラーアップ位置に移動すると共に（Ｓ４０１）、測光処理で決定し、システム制御装置３８の内部メモリあるいはメモリ装置１９に記憶された測光データに従い、絞り制御装置３２によって絞り装置１２を所定の絞り量まで駆動する（Ｓ４０２）。
次に、システム制御装置３８は撮像素子１５の電荷クリアを行い（Ｓ４０３）、撮像素子１５の電荷蓄積を開始し（Ｓ４０４）、シャッター制御装置２４によってシャッター１４を開き（Ｓ４０５）、撮像素子１５の露光を開始する（Ｓ４０６）。
ここでブラケット撮影が指示され、図２に示されるブラケット撮影の回数変数ｎが０でなく設定されていれば（Ｓ１０８）、ブラケット撮影のシーケンスへと移る（Ｓ４０７）。
ブラケット撮影が指示されていなければ、システム制御装置３８は測光データに従って露光時間経過を待つ（Ｓ４０８）。
露光時間終了ならば、システム制御回路３８は撮像素子１５から電荷を読み出し（Ｓ４０９）、Ａ／Ｄ装置１６でデジタル信号に変換し、画像処理装置１７で現像処理を行い、メモリ装置１９に保存する（Ｓ４１０）。
露光が終了し、システム制御装置３８はシャッター制御装置２４によってシャッター１４を閉じ（Ｓ４１２）、絞り制御装置３２によって絞り装置１２を開放の絞り値まで駆動すると共に（Ｓ４１３）、ミラー１３をミラーダウン位置に移動する（Ｓ４１４）。
【００２０】
次に、本発明の実施例１のブラケット撮影を図６を参照して説明するが、この時点でメモリ１、メモリ２、メモリ３にそれぞれブラケット撮影の出力となる画像データのパーツが存在する。以降、組み合わせて画像データを完成させる。
メモリ１には最も短時間で生成された画像データが存在し、メモリ１とメモリ２のデータを合算することにより第２の画像データを生成し、メモリ２に格納する（Ｓ４１６）。さらに、メモリ２とメモリ３の画像データを合算し、第３の画像データとしメモリ３に格納する（Ｓ４１７）。
最後にブラケット撮影が終了したことを示すために、ブラケット回数変数ｎを３とする。もちろんｎを３としたのはブラケット枚数が３枚である場合であり、ブラケット撮影指示装置３１から指示されたブラケット枚数に応じて終了判定のためのｎの判定値は変わる。
このため、従来よりも短時間で終了したブラケット撮影の完了を確認することができる。
【００２１】
次に、図５に示されるブラケット撮影（Ｓ４１１）を図６のフローチャートを参照して説明する。
図６においては３つの露光時間の経過判定が含まれ、それぞれは図４に示される測光シーケンスで決定された標準的露光量の撮影と、減感度となる露光量での撮影と、増感度となる露光量での撮影となるような露光時間の経過判定である。
図５に示される露光が開始された後（Ｓ４０６）、ブラケット撮影が指示されている場合は第１の露光時間の経過を判定する（Ｓ５０１）。
第１の露光時間が経過したならば、撮像素子１５から蓄積された電荷を読み出し、Ａ／Ｄ、現像の各処理を行った後、画像データをメモリ装置１９内に設けた第一の領域「メモリ１」に保存する。このとき撮像素子１５内の電荷はクリアされ、再露光を開始する。
次に第２の露光時間が経過したか判定し（Ｓ５０４）、経過していたならば撮像素子１５から蓄積された電荷を読み出し、Ａ／Ｄ、現像の各処理を行った後、画像データをメモリ装置１９内に設けた第二の領域「メモリ２」に保存する。ここでも同様に撮像素子１５内の電荷はクリアされ、再露光を開始する。
さらに第３の露光時間が経過したか判定し（Ｓ５０７）、経過していたならば撮像素子１５から蓄積された電荷を読み出し、Ａ／Ｄ、現像の各処理を行った後、画像データをメモリ装置１９内に設けた第三の領域「メモリ３」に保存する。
続いて、図５に示されるシャッター制御装置２４によってシャッター１４を閉じ（Ｓ４１２）へと戻り、メモリ１のデータを第１の画像データ、メモリ１＋メモリ２のデータを第２の画像データ、メモリ１＋メモリ２＋メモリ３のデータを第３の画像データとすることにより、３枚のブラケット撮影を終了する。
以上により、図１０に示される最長となる露光処理中に電荷データを抽出し、画像データとすることによって、低時間露光によって生成される画像データとすることが可能となり、処理時間の大幅な短縮を図ることが可能となる。
また、抽出タイミングを複数に設定し、適宜電荷データを抽出し画像データとして合算することにより、中途感度の撮影結果を得ることが可能となる。
【実施例２】
【００２２】
次に、撮像素子から電荷を読み出した後、撮像素子内の電荷のクリアを行わない本発明の実施例２を図７を参照して説明する。
本発明の実施例１の図２、図５に示されたフローチャートに従って、ブラケット撮影が開始された状態で、図７に示されるブラケット撮影処理が開始される。
まず、露光開始から第１の露光時間が経過したか判定し（Ｓ６０１）、経過していれば撮像素子から電荷データを読み出す（Ｓ６０２）。Ａ／Ｄ、現像処理を行い、メモリ１へ格納する（Ｓ６０３）。
続いて第２の露光時間が経過したか判定し（Ｓ６０４）、経過していれば撮像素子から電荷データを読み出す（Ｓ６０５）。Ａ／Ｄ、現像処理を行い、メモリ２へ格納する（Ｓ６０６）。
さらに第３の露光時間が経過したか判定し（Ｓ６０７）経過していれば撮像素子から電荷データを読み出す（Ｓ６０８）。Ａ／Ｄ、現像処理を行い、メモリ３へ格納する（Ｓ６０９）。
本発明の実施例２では撮像素子１５内の電荷データのクリアを行なわないので、読み出したデータを合算処理することなくそのままブラケット撮影の画像データとなる。  
このため本発明の実施例２では図５におけるメモリ合算処理（Ｓ４１６、Ｓ４１７）が不要となる。
以上により、図１１に示されるように最長となる露光処理中に、その途中電荷データを抽出し、画像データとすることによって、低時間露光によって生成される画像データとすることが可能となり、処理時間の大幅な短縮を図ることが可能となる。
また、抽出タイミングを複数に設定し、適宜電荷データを抽出し画像データとすることにより、中途感度の撮影結果を任意に得ることが可能となる。
【実施例３】
【００２３】
次に、撮像素子からの電荷データを読み出し時間、および撮像素子内の電荷のクリア処理時間を考慮しなければならない本発明の実施例３を図８を参照して説明する。
実施例１の図２、図５のフローチャートに従って、ブラケット撮影が開始された状態で、図８に示されるブラケット撮影処理が開始される。
露光開始から第１の露光時間が経過したか判定し（Ｓ７０１）、経過していれば撮像素子から電荷データを読み出す（Ｓ７０２）。Ａ／Ｄ、現像処理を行い、メモリ１へ格納する（Ｓ７０３）。
続いて第２の露光時間の判定であるが、通常の測光処理によって算出された露光時間に対し、電荷データの読み出し、電荷データのクリアにｄ秒を必要とする場合には、第２の露光時間として判定するために元の露光時間にｄ秒を加えた時間で経過判定を行なう（Ｓ７０４）。経過していれば撮像素子から電荷データを読み出す（Ｓ７０５）。Ａ／Ｄ、現像処理を行い、メモリ２へ格納する（Ｓ７０６）。
さらに第３の露光時間の判定であるが、第２の露光時間の判定と同様に、電荷データの読み出し、クリアにｄ秒を必要とする場合は、第２の露光時間の判定にｄ秒を使用しているので、第３の露光時間には本来の露光時間に２ｄ秒を加えた時間をもって、経過判定を行なう（Ｓ７０７）。経過していれば撮像素子から電荷データを読み出す（Ｓ７０８）。Ａ／Ｄ、現像処理を行い、メモリ３へ格納する（Ｓ７０９）。
上記は３枚組の例を示したが、ｎ枚によるブラケット撮影の場合には、ｍ枚目（２≦ｍ≦ｎ）の終了判定時には、電荷の読み出し、撮像素子内の電荷のクリアに掛かる時間をｄ秒と表記すると ｛本来の露光時間＋（ｍ−１）ｄ｝秒で算出される時間をもって判定すればよい。
以上により、図１２に示されるように最長となる露光処理中に電荷データを抽出し、画像データにすることによって、低時間露光によって生成される画像データとすることが可能となり、処理時間の大幅な短縮を図ることが可能となる。
また、抽出タイミングを複数に設定し、適宜電荷データを抽出し画像データとすることにより、中途感度の撮影結果を得ることが可能となる。
【図面の簡単な説明】
【００２４】
【図１】本発明の実施例のデジタルカメラの構成図である。
【図２】撮影全体の処理を示したフロー図である。
【図３】測距処理を示したフロー図である。
【図４】測光処理を示したフロー図である。
【図５】撮影処理を示したフロー図である。
【図６】ブラケット撮影処理を示したフロー図である。
【図７】別のブラケット撮影処理を示したフロー図である。
【図８】さらに別のブラケット撮影処理を示したフロー図である。
【図９】従来のブラケット撮影の概念図である。
【図１０】本発明のブラケット撮影の概念図である。
【図１１】本発明の別のブラケット撮影の概念図である。
【図１２】本発明の別のブラケット撮影の概念図である。
【図１３】ブラケット表示入力時の表示装置の説明図である。
【符号の説明】
【００２５】
１１：レンズ装置、１２：絞り装置、１３：ミラー装置、１４：シャッター装置、１５：撮像素子、１６：Ａ／Ｄ装置、１７：画像処理装置、１８：圧縮処理装置  、１９：メモリ装置、２０：記録媒体、２１：光学ファインダ装置、  ２２：表示装置、２３：駆動装置、２４：シャッター制御装置、２５：モード変更装置、２６：撮影解像度変更装置、２７：ＩＳＯ値変更装置、２８：シャッタースイッチ装置、２９：主電源スイッチ、３０：単写連写スイッチ、３１：ブラケット撮影指示装置、３２：絞り制御装置、３３：フォーカス制御装置、３４：発音体、３５：フラッシュ装置、３６：測距装置、３７：測光装置、３８：システム制御装置。
【図１】
2006229627.tif 000007
【図２】
2006229627.tif 000008
【図３】
2006229627.tif 000009
【図４】
2006229627.tif 000010
【図５】
2006229627.tif 000011
【図６】
2006229627.tif 000012
【図７】
2006229627.tif 000013
【図８】
2006229627.tif 000014
【図９】
2006229627.tif 000015
【図１０】
2006229627.tif 000016
【図１１】
2006229627.tif 000017
【図１２】
2006229627.tif 000018
【図１３】
2006229627.tif 000019